(57)【要約】ブロードキャストメディア受信機（30）は、ブロードキャストメディア伝送ネットワークで移動体通信装置に伝送されるアプリケーションプログラム及び他のデータの配信を可能にする。受信機は、第１の通信チャネル（20）でブロードキャストメディアの第１のデータストリーム（21）と、少なくとも１つの第２のデータストリーム（22）とを受信する受信ユニットと、第１のデータストリーム（21）から第２のデータストリーム（22）を分離するデータ分離手段（33）と、第２の通信チャネルを使用して、ローカルの短距離の一時的な無線ネットワーク（40）で移動体通信装置（50、51）と通信する送受信ユニット（41）と、ローカル無線ネットワークに存在する移動体通信装置を検出し、その装置形式及び／又は構成を決定する監視装置（37）と、決定された装置形式及び／又は構成に従って、移動体通信装置に第２のデータストリーム（22）の少なくとも一部を有する第３のデータストリーム（23）を配信する配信装置（35、41）とを有する。
2006526909.tif 000002
【特許請求の範囲】
【請求項１】
第１の通信チャネルでブロードキャストメディアの第１のデータストリームと少なくとも１つの第２のデータストリームとを受信する受信ユニットと、
前記第１のデータストリームから前記第２のデータストリームを分離するデータ分離手段と、
第２の通信チャネルを使用して、ローカルの短距離の一時的な無線ネットワークで移動体通信装置と通信する送受信ユニットと、
前記ローカル無線ネットワークに存在する移動体通信装置を検出し、その装置形式及び／又は構成を決定する監視装置と、
前記決定された装置形式及び／又は構成に従って、前記移動体通信装置に前記第２のデータストリームの少なくとも一部を有する第３のデータストリームを配信する配信装置と
を有するブロードキャストメディア受信機。
【請求項２】
請求項１に記載のブロードキャストメディア受信機であって、
前記第３のデータストリームが前記移動体通信装置の前記決定された装置形式及び／又は構成に適した形式になるように、前記第２のデータストリームの少なくとも一部を前記第３のデータストリームに変換するプロセッサを更に有するブロードキャストメディア受信機。
【請求項３】
請求項１に記載のブロードキャストメディア受信機であって、
前記第３のデータストリームは、コマンド、アプリケーションプログラム又は他のデータのうちいずれか１つ以上を有するブロードキャストメディア受信機。
【請求項４】
請求項１に記載のブロードキャストメディア受信機であって、
前記配信装置は、前記移動体通信装置の前記決定された装置形式及び／又は構成の特徴と互換のない前記第２のデータストリームのいずれかの部分を除去するように適合されたフィルタであるブロードキャストメディア受信機。
【請求項５】
請求項１に記載のブロードキャストメディア受信機であって、
前記第２のデータストリームは、前記第２のデータストリームの一部が適する装置の所定のクラスを示す識別子を有し、
前記データ分離手段は、前記第２のデータストリームを処理し、装置のクラスについての各識別子に従ってそのそれぞれの部分を抽出するように適合されたブロードキャストメディア受信機。
【請求項６】
請求項１に記載のブロードキャストメディア受信機であって、
前記配信装置は、前記決定された装置形式及び／又は構成を有する前記ローカル無線ネットワークの全ての移動体通信装置に、前記第３のデータストリームを自動的に転送するブロードキャストメディア受信機。
【請求項７】
請求項１に記載のブロードキャストメディア受信機であって、
前記監視装置は、携帯電話、携帯情報端末、ポータブルコンピュータ、パーソナルオーディオ若しくはビデオ再生装置、又はそのいずれかの複合のうち１つ以上に対応する装置形式を検出するように適合されたブロードキャストメディア受信機。
【請求項８】
請求項１に記載のブロードキャストメディア受信機であって、
前記監視装置は、構成パラメータが、プロセッサ構成、オペレーティングシステム、ディスプレイ構成、移動体通信装置でのアプリケーションプログラムの実行若しくは実行ファイル、移動体装置でのプログラム言語の実行若しくは実行可能ファイル、一式のユーザ定義の嗜好、独自の標準又は装置の属性、又はそのいずれかの組み合わせのうち１つ以上を有する前記移動体通信装置の構成を検出するように適合されたブロードキャストメディア受信機。
【請求項９】
請求項１に記載のブロードキャストメディア受信機であって、
前記データ分離手段は、前記第２のデータストリームの少なくとも一部が関係する装置のクラスを示す１つ以上のフラグを前記第２のデータストリームで検出する手段を有するブロードキャストメディア受信機。
【請求項１０】
請求項１に記載のブロードキャストメディア受信機であって、
前記配信装置は、前記第２の通信チャネルで前記移動体通信装置に前記第３のデータストリームを配信するように適合されたブロードキャストメディア受信機。
【請求項１１】
請求項１に記載のブロードキャストメディア受信機であって、
前記送受信ユニットは、Bluetooth又はIEEE802.11通信標準を使用するように適合されたブロードキャストメディア受信機。
【請求項１２】
請求項１に記載のブロードキャストメディア受信機であって、
前記第３のデータストリームとして移動体装置にアプリケーションプログラムの関連部分をダウンロードした後に、関連する移動体通信装置とインタラクティブにアプリケーションプログラムを実行するプロセッサを更に有するブロードキャストメディア受信機。
【請求項１３】
請求項１に記載のブロードキャストメディア受信機であって、
前記無線ネットワークで新しい移動体通信装置の存在を定期的に検査する手段を更に有するブロードキャストメディア受信機。
【請求項１４】
ブロードキャスト通信チャネルでブロードキャストメディアの第１のデータストリームと少なくとも第２のデータストリームとを複数のブロードキャストメディア受信機に送信する送信ユニットを有し、
前記少なくとも１つの第２のデータストリームは、前記第２のデータストリームの少なくとも一部が関係する移動体通信装置のクラスを示す少なくとも１つのフラグを有するブロードキャストメディア送信機。
【請求項１５】
請求項１４に記載の送信機であって、
前記送信ユニットは、それぞれの前記第２のデータストリームが関係する装置のクラスを示すフラグをそれぞれ有する複数の前記第２のデータストリームを送信するように適合された送信機。
【請求項１６】
請求項１４又は１５に記載の送信機であって、
示されている前記装置のクラスは、携帯電話、携帯情報端末、ポータブルコンピュータ、パーソナルオーディオ若しくはビデオ再生装置、又はそのいずれかの複合のうち１つ以上である送信機。
【請求項１７】
第２の通信チャネルを使用して、ローカルの短距離の一時的な無線ネットワークでブロードキャストメディア受信機と通信する送受信ユニットと、
前記移動体通信装置の装置形式及び／又は構成の識別表示の要求を前記ブロードキャストメディア受信機から受信する手段と、
前記移動体通信装置の装置形式及び／又は構成を指示して、前記ブロードキャストメディア受信機に応答する手段と、
前記指示された装置形式及び／又は構成に対してカスタマイズされたデータストリームを前記ブロードキャストメディア受信機から受信する手段と
を有する移動体通信装置。
【請求項１８】
請求項１７に記載の移動体通信装置であって、
前記データストリームは、コマンド、アプリケーションプログラム又は他のデータのうちいずれか１つ以上を有する移動体通信機。
【請求項１９】
請求項１７に記載の移動体通信装置であって、
携帯電話、携帯情報端末、ポータブルコンピュータ、パーソナルオーディオ若しくはビデオ再生装置、又はそのいずれかの複合のうちいずれか１つを有する移動体通信装置。
【請求項２０】
請求項１７に記載の移動体通信装置であって、
前記応答する手段は、構成パラメータが、プロセッサ構成、オペレーティングシステム、ディスプレイ構成、前記移動体通信装置でのアプリケーションプログラムの実行若しくは実行ファイル、前記移動体装置でのプログラム言語の実行若しくは実行可能ファイル、一式のユーザ定義の嗜好、独自の標準又は装置の属性、又はそのいずれかの組み合わせのうち１つ以上を有する前記移動体通信装置の構成を指示するように適合された移動体通信装置。
【請求項２１】
請求項１７に記載の移動体通信装置であって、
ブロードキャストメディア受信機から前記移動体装置にアプリケーションプログラムの関連部分をダウンロードした後に、関連するブロードキャストメディア受信機とインタラクティブにアプリケーションプログラムを実行するプロセッサを更に有する移動体通信装置。
【請求項２２】
ブロードキャストメディアネットワークで移動体通信装置にデータをダウンロードする方法であって、
ブロードキャストメディア受信機で、第１の通信チャネルでブロードキャストメディアの第１のデータストリームと少なくとも１つの第２のデータストリームとを受信するステップと、
前記第１のデータストリームから前記第２のデータストリームを分離するステップと、
第２の通信チャネルを使用して、ローカルの短距離の一時的な無線ネットワークで１つ以上の移動体通信装置と通信するステップと、
前記ローカル無線ネットワークに存在する移動体通信装置を検出し、その装置形式及び／又は構成を決定するステップと、
前記決定された装置形式及び／又は構成に従って、前記移動体通信装置に前記第２のデータストリームの少なくとも一部を有する第３のデータストリームを配信するステップと
を有する方法。
【請求項２３】
請求項２２に記載の方法であって、
前記第３のデータストリームが前記移動体通信装置の前記決定された装置形式及び／又は構成に適した形式になるように、前記第２のデータストリームの少なくとも一部を前記第３のデータストリームに変換することを更に有する方法。
【請求項２４】
請求項２２に記載の方法であって、
前記第３のデータストリームは、コマンド、アプリケーションプログラム又は他のデータのうちいずれか１つ以上を有する方法。
【請求項２５】
請求項２２に記載の方法であって、
前記移動体通信装置の前記決定された装置形式及び／又は構成の特徴と互換のない前記第２のデータストリームのいずれかの部分を除去し、前記第３のデータストリームを作ることを更に有する方法。
【請求項２６】
請求項２２に記載の方法であって、
前記第２のデータストリームの一部が適する装置の所定のクラスを示す前記第２のデータストリーム内の識別子を検出し、
前記第２のデータストリームを処理し、装置のクラスについての各識別子に従ってそのそれぞれの部分を抽出することを更に有する方法。
【請求項２７】
請求項２２に記載の方法であって、
前記決定された装置形式及び／又は構成を有する前記ローカル無線ネットワークの全ての移動体通信装置に、前記第３のデータストリームを自動的に転送するステップを更に有する方法。
【請求項２８】
請求項２２に記載の方法であって、
携帯電話、携帯情報端末、ポータブルコンピュータ、パーソナルオーディオ若しくはビデオ再生装置、又はそのいずれかの複合のうち１つ以上に対応する装置形式を検出することを更に有する方法。
【請求項２９】
請求項２２に記載の方法であって、
構成パラメータが、プロセッサ構成、オペレーティングシステム、ディスプレイ構成、移動体通信装置でのアプリケーションプログラムの実行若しくは実行ファイル、移動体装置でのプログラム言語の実行若しくは実行可能ファイル、一式のユーザ定義の嗜好、独自の標準又は装置の属性、又はそのいずれかの組み合わせのうち１つ以上を有する前記移動体通信装置の構成を検出することを更に有する方法。
【請求項３０】
請求項２２に記載の方法であって、
前記第２のデータストリームの少なくとも一部が関係する装置のクラスを示す１つ以上のフラグを前記第２のデータストリームで検出することを更に有する方法。
【請求項３１】
請求項２２に記載の方法であって、
前記第３のデータストリームは、前記第２の通信チャネルで前記移動体通信装置に配信される方法。
【請求項３２】
請求項２２に記載の方法であって、
前記第３のデータストリームとして移動体装置にアプリケーションプログラムの関連部分をダウンロードした後に、関連する移動体通信装置とインタラクティブにアプリケーションプログラムを実行することを更に有する方法。
【請求項３３】
請求項２２に記載の方法であって、
前記無線ネットワークで新しい移動体通信装置の存在を定期的に検査することを更に有する方法。
【請求項３４】
プログラムがコンピュータにロードされると、請求項２２ないし３３のうちいずれか１項に記載の手順を前記コンピュータに実行させるように適合されたコンピュータプログラムコード手段を有するコンピュータ読取可能媒体を有するコンピュータプログラム。
【請求項３５】
プログラムがコンピュータにロードされると、請求項２２ないし３３のうちいずれか１項に記載の手順を前記コンピュータに実行させるように適合されたコンピュータプログラムコード手段を有する電子データ伝送により配信可能なコンピュータプログラム。
【発明の詳細な説明】
【技術分野】
【０００１】
本発明は、概して、ブロードキャストメディア伝送ネットワークに結合されたセットトップボックス（STB：set  top  box）のようなメディア受信装置を使用して、携帯電話のような移動体通信装置にアプリケーションプログラム及び他のデータを配信する方法及び装置に関する。
【背景技術】
【０００２】
デジタルビデオブロードキャスト（DVB：digital  video  broadcasting）、デジタルオーディオブロードキャスト（DAB：digital  audio  broadcasting）又は従来のアナログ伝送プロトコルを使用した様々なブロードキャストメディアシステムは、ブロードキャストネットワークを使用して、テレビチャネルやラジオチャネルやマルチメディアデータコンテンツのようなメディアコンテンツをユーザに配信するために使用されている。一般的に、これらのブロードキャストネットワークは、双方向又は一方向のケーブル、衛星及び地上波ブロードキャスト通信チャネルを有する。
【０００３】
一般的に、これらのブロードキャストネットワークは、比較的高い帯域を有し、大量のデータをダウンロードするのに適したものにしている。デジタルテレビ標準において、データの単一の連続ストリーム（例えばDVB  data  piping）から階層的ファイルシステムの複雑なモデル（例えばMPEG  DSMCC  object  carousel（Motion  Picture  Experts  Group  Digital  Storage  Media  Command  and  Control））まで、様々なデータ伝送プロトコルが存在する。従来のアナログTV伝送はまた、VBI（垂直帰線区間：vertical  blanking  interrupt）を利用して限られたデータチャネルをサポートしている。
【０００４】
従来では、これらの機構で配信されるデータ形式は、テレビ装置で表示するために設計された特有のアプリケーション（例えば電子番組ガイドや一般的なビデオテキスト情報サービス）に限定されている。一般的に、セットトップボックス（STB）又は統合デジタルテレビ（IDTV：integrated  digital  television）のようなブロードキャストメディア受信装置は、ユーザへの表示のため、入力データを解釈する適切なソフトウェアを有する。これらの装置の内蔵ソフトウェアは、以前よりこれらのメディア受信装置で広範囲のアプリケーションを動作することを提供するDVBマルチメディアホームプラットフォーム（MHP：multimedia  home  platform）のような汎用コンピュータプラットフォームで高度化して、増加している。
【０００５】
最近、ブロードキャストメディア受信機（例えばSTB）を介して携帯情報端末（PDA：personal  digital  assistant）又は携帯電話のような携帯用装置にデータを配信する手段として、これらのブロードキャストネットワークを使用することが提案されている。更に、Bluetooth又はIEEE802.11通信プロトコルを使用したこのようなメディア受信機とモバイル装置との間の新しいレベルの接続性の活用が提案されてきている。
【０００６】
例えば、US2002/0056112は、適切なテレビ受信機により使用されるテレビプログラムのような第１のデータブロードキャストと、携帯情報端末により使用される第２のデータブロードキャストとを有するブロードキャスト信号成分を受信するように適合されたブロードキャストメディア受信機又はSTBについて記載している。第２のデータブロードキャストは、アプリケーションプログラム及び制御コード、オーディオ／ビデオデータストリーム、ウェブページ並びに他のデータを有してもよい。受信機は、短距離無線通信チャネルを使用して携帯情報端末に第２のデータブロードキャストを通信する。
【０００７】
EP1213842Aは、携帯電話ハンドセットを用いて遠隔制御を可能にするように適合されたブロードキャストメディア受信機又はSTBについて記載している。受信機は、ユーザの携帯電話にブロードキャストプログラムスケジュールデータをダウンロードしてもよく、ユーザの携帯電話のIDコードに応じてテレビのオン及びオフを行ってもよい。
【０００８】
EP1259075Aは、DVBネットワークでアプリケーションをブロードキャストする方法について記載しており、ウェブページが分割ブラウザシステムを使用してDVBネットワークでブロードキャストされる。ブロードキャストネットワークの送信端点の第１のプロセッサは、ブラウザ処理の‘重い’部分（すなわち、高いコンピュータ及び／又はメモリ機能を必要とする）を実行し、ブロードキャストネットワークの受信端点の第２のプロセッサは、ブラウザ処理の‘軽い’部分（すなわち、低いコンピュータ及び／又はメモリ機能を必要とする）を実行する。このことにより、ウェブブラウジングが、携帯情報端末や携帯電話やセットトップボックスのような低い処理及びメモリ機能を有する装置にインストールされた‘軽い’ブラウザ部分のみで効率的に実行されることが可能になる。
【０００９】
WO01/47248は、ホーム環境のマルチメディア装置への遠隔アクセスを可能にするシステムについて記載している。ホーム環境において、ユーザは、携帯電話又はPDAのような遠隔装置を使用して、マルチメディアホーム装置からユーザの遠隔装置へのマルチメディアコンテンツの配信を促進してもよい。
【００１０】
WO01/80460は、携帯電話ネットワークを使用して、ブロードキャストメディア受信機（例えばセットトップボックスSTB）によりメディアブロードキャストへのアクセスを制御する方法について記載している。携帯電話は、短距離無線通信チャネルを使用してSTBに接続され、STB装置及び／又はデジタルテレビ伝送に対応するメニューが携帯電話に通信される。選択されたブロードキャストのデコードは、携帯電話ネットワークを介したデコード鍵の配信により可能になる。
【発明の開示】
【発明が解決しようとする課題】
【００１１】
ブロードキャストメディア伝送ネットワークに結合されたセットトップボックス（STB：set  top  box）のようなメディア受信装置を使用して、携帯電話のような移動体通信装置にデータを転送するシステムに対して改善した機能を提供することが、本発明の目的である。
【課題を解決するための手段】
【００１２】
第１の態様によれば、本発明は、
第１の通信チャネルでブロードキャストメディアの第１のデータストリームと少なくとも１つの第２のデータストリームとを受信する受信ユニットと、
第１のデータストリームから第２のデータストリームを分離するデータ分離手段と、
第２の通信チャネルを使用して、ローカルの短距離の一時的な無線ネットワークで移動体通信装置と通信する送受信ユニットと、
ローカル無線ネットワークに存在する移動体通信装置を検出し、その装置形式及び／又は構成を決定する監視装置と、
決定された装置形式及び／又は構成に従って、その移動体通信装置にその第２のデータストリームの少なくとも一部を有する第３のデータストリームを配信する配信装置と
を有するブロードキャストメディア受信機を提供する。
【００１３】
その他の態様によれば、本発明は、ブロードキャスト通信チャネルでブロードキャストメディアの第１のデータストリームと少なくとも第２のデータストリームとを複数のブロードキャストメディア受信機（30）に送信する送信ユニットを有し、少なくとも１つの第２のデータストリームは、第２のデータストリームの少なくとも一部が関係する移動体通信装置のクラスを示す少なくとも１つのフラグを有するブロードキャストメディア送信機。
【００１４】
その他の態様によれば、本発明は、
第２の通信チャネルを使用して、ローカルの短距離の一時的な無線ネットワークでブロードキャストメディア受信機と通信する送受信ユニットと、
移動体通信装置の装置形式及び／又は構成の識別表示の要求をブロードキャストメディア受信機から受信する手段と、
移動体通信装置の装置形式及び／又は構成を指示して、そのブロードキャストメディア受信機に応答する手段と、
その指示された装置形式及び／又は構成に対してカスタマイズされたデータストリームをブロードキャストメディア受信機から受信する手段と
を有する移動体通信装置を提供する。
【００１５】
その他の態様によれば、本発明は、ブロードキャストメディアネットワークで移動体通信装置にデータをダウンロードする方法を提供し、
ブロードキャストメディア受信機で、第１の通信チャネルでブロードキャストメディアの第１のデータストリームと少なくとも１つの第２のデータストリームとを受信するステップと、
第１のデータストリームから第２のデータストリームを分離するステップと、
第２の通信チャネルを使用して、ローカルの短距離の一時的な無線ネットワークで１つ以上の移動体通信装置と通信するステップと、
ローカル無線ネットワークに存在する移動体通信装置を検出し、その装置形式及び／又は構成を決定するステップと、
決定された装置形式及び／又は構成に従って、その移動体通信装置にその第２のデータストリームの少なくとも一部を有する第３のデータストリームを配信するステップとを有する。
【発明を実施するための最良の形態】
【００１６】
本発明の実施例について、添付図面を参照して一例として説明する。
【００１７】
本発明において、ブロードキャストメディアネットワークは、従来からこのようなブロードキャストメディアチャネルに関連する高い帯域を利用して、移動体通信装置にアプリケーション及び他のデータを配信するルートとして使用されている。
【００１８】
図１を参照すると、ブロードキャストメディアプロバイダ10は、従来のブロードキャストメディアネットワーク通信チャネル20（ここでは第１の通信チャネルとしても記載される）で複数の加入者に送信するために、メディアプログラムコンテンツ源11からのテレビやラジオチャネルのようなメディアプログラムコンテンツを受信する。
【００１９】
メディアプログラムコンテンツは、ここでは第１のデータストリーム21として記載されており、一般的に、テレビやラジオのようなメディア出力装置用のプログラムコンテンツに対応する。同時に、テレビ及びラジオ受信機以外の複数の潜在的な受信装置により使用されるのに適したデータを有する第２のデータストリーム22もまた、第２のコンテンツ源12により提供される。第２のデータストリームは、第１の通信チャネル20で加入者に送信するため、第１のデータストリームと結合される。
【００２０】
第２のデータストリームは、携帯電話装置50又は携帯情報端末51のような移動体通信装置で特に使用されるソフトウェアコマンド、アプリケーションプログラム、データ及び他の情報を有してもよい。
【００２１】
第１の通信チャネル20は、デジタル又はアナログ形式で情報を伝えるために、如何なる適切な媒体を使用してもよい（例えば、無線、マイクロ波、光ファイバ又は同軸ケーブルリンク）。第１の通信チャネル20は、単純な連続データストリームを含むデジタルデータの配信用の如何なる適切なデータ伝送標準を使用してもよい（例えば、DVB  data  piping若しくはMPEG  DSMCC  object  carousel、DVB-S、DVB-T又はDVB-C）。
【００２２】
第１及び第２のデータストリーム21、22は、第１の通信チャネル20でブロードキャストメディア受信機30により受信される。メディア受信機30は、衛星受信機、地上波テレビ受信機、セットトップボックス、DAB受信機等の形式でもよい。好ましい構成では、メディア受信機30は、マルチメディアホームプラットフォーム（MHP）システムでもよい。
【００２３】
メディア受信機30は、適切なディスプレイ31を組み込んでもよく、それを形成してもよい（例えばIDTV（integrated  digital  television）又は適切な記録／再生装置（DVD又はハードディスクドライブレコーダ等））。代替として、メディア受信機30は、従来のテレビセット又はコンピュータモニタのような適切なディスプレイ装置31に接続するスタンドアローンユニットでもよい。
【００２４】
図示の実施例では、メディア受信機30は、既知の原理に従って、第１の通信チャネル20でブロードキャストされた信号からデジタル情報信号を抽出する復調器32を有する。信号は暗号化されてもよく、オープンアクセスでもよい。信号が暗号化されている場合、デコーダユニット（図示せず）が既知の原理に従って信号を解読するために提供される。
【００２５】
メディア受信機は、第１のデータストリームから第２のデータストリームを抽出又は分離するプロセッサ33を有する。これは、本発明の目的に有効な複数の方法で実現されてもよい。
【００２６】
例えば、ある構成では、第１及び第２のデータストリームは、出力装置31用のデータストリームの処理のため、第１のデータストリーム21のみが適切なメディアストリーム処理装置34に渡されるように、プロセッサ33により互いに完全に分離されてもよい。
【００２７】
他の例では、第２のデータストリーム22は、メディアストリーム処理装置34への前方伝送のため、元の信号が実質的に変更されないままで、‘コピー’されてもよく、通信チャネル20で受信される結合のデータストリームから抽出されてもよい。この後者の場合、例えばビデオテキストデータの場合に、メディアストリーム処理装置34は、第１のデータストリームに依然として埋め込まれた第２のデータストリームを使用可能でもよく、使用不可能でもよい。
【００２８】
いずれの場合でも、抽出された第２のデータストリーム22は、プロセッサ35に渡される。プロセッサ35は、第２のデータストリームから第３のデータストリームを生成するように適合され、その第３のデータストリームは、特定のクラスの移動体通信装置50、51で使用されるようにカスタマイズされ、又は特に適合される。
【００２９】
ある構成では、プロセッサ35は、宛先の移動体通信装置により使用不可能な全ての情報を第２のデータストリームから除去する簡単なフィルタとして動作する。例えば、プロセッサは、データストリームが対象とする移動体通信装置のクラスによりサポートされてない第２のデータストリーム内の全てのコマンドを除去するように動作してもよい。
【００３０】
他の構成では、プロセッサ35は、特に１つ以上の異なるクラスの移動体通信装置50、51に対してデータストリームをカスタマイズするように、第２のデータストリームのデータを変換、変更又は適合するようにプログラムされる。例えば、第２のデータストリームが移動体通信装置により使用されるアプリケーションプログラムを有する場合、プロセッサ35は、１つ以上の異なるクラスの装置への前方伝送のため、一般バージョンのアプリケーションプログラムを１つ以上のプラットフォーム特有のバージョンのアプリケーションプログラムに変換してもよい。
【００３１】
第２のデータストリームを第３のデータストリームに変換することを可能にするプロセッサ35の変換ソフトウェアは、それ自体、第２のデータストリームのブロードキャスト局からダウンロードされてもよい。
【００３２】
ある構成では、メディア受信機30は、データストリームの変換及び／又は前方伝送がリアルタイムで生じる必要がないように、第２及び／又は第３のデータストリームの格納及び／又はバッファ用のメモリ36を備えてもよい。
【００３３】
メディア受信機30と移動体通信装置50、51との間の通信は、ローカルの短距離の無線ネットワーク40により行われる。これはまた、ここでは第２の通信チャネルとしても記載されている。第２の通信チャネル40は、Bluetooth又はIEEE802.11標準に従って提供されてもよく、例えば無線又は光／赤外線トランシーバを使用したその他の適切なローカル無線ネットワークでもよい。
【００３４】
このため、メディア受信機30は、既知の原理に従って第２の通信チャネル40を使用して移動体通信装置50、51と通信する送受信ユニット41を有する。
【００３５】
メディア受信機30が第２の通信チャネル40で通信する移動体通信装置50、51のクラスを定めるため、メディア受信機30は、装置形式検出ユニット37を有する。これは、１つ以上の装置形式又は装置構成を定めるため、ローカル無線ネットワーク40で検出された移動体通信装置50、51に問い合わせる。
【００３６】
装置形式は、携帯電話、携帯情報端末、ポータブルコンピュータ、パーソナルオーディオ若しくはビデオ再生装置、又はこのいずれかの複合のうち１つ以上を有してもよい。装置構成は、プロセッサ構成、オペレーティングシステム、ディスプレイ構成、移動体通信装置でのアプリケーションプログラムの実行若しくは実行ファイル、移動体装置でのプログラム言語の実行若しくは実行可能ファイル、一式のユーザ定義の嗜好、独自の標準若しくは装置の属性、又はそのいずれかの組み合わせのうち１つ以上に関係するパラメータを有してもよい。
【００３７】
移動体通信装置50、51は、移動体装置がメディア受信機30の範囲内に入ったときに接続を確立して、一時的にローカル無線ネットワーク40に結合することが好ましい。接続は自動で確立されてもよく、ユーザ起動及び／又は確認でもよく、ユーザによる確認有り又は無しでメディア受信機により自動で起動されてもよい。
【００３８】
各移動体通信装置は、ディスプレイ52と、ユーザキーパッド53及び／又はタッチスクリーン54と、メディア受信機30からダウンロードしたデータ及びアプリケーションプログラムを格納するメモリとを有する。図１に示すように、移動体通信装置は、携帯電話50でもよく、携帯情報端末51でもよい。
【００３９】
ある例示的な動作モードでは、ブロードキャストメディアプロバイダ10は、１つ以上のクラスの携帯電話50で使用するための特有のアプリケーションプログラムを送信する。メディアプログラムコンテンツを有する第１のデータストリーム21と共に、アプリケーションプログラムは、ブロードキャストチャネル20で第２のデータストリーム22内で送信される。
【００４０】
メディア受信機30は、第２のデータストリーム22を抽出し、その中の又はそれに関連するフラグを参照することにより、特有のアプリケーションプログラムが互換性を有する携帯電話のクラスを識別する。
【００４１】
メディア受信機は、そのローカル無線ネットワーク40に接続された移動体装置のうちどれがその特有のアプリケーションプログラムの関連クラスであるかを定め、抽出されたアプリケーションプログラムを第３のデータストリームとしてそれに転送する。
【００４２】
他の例示的な動作モードでは、ブロードキャストメディアプロバイダ10は、多数のクラスの携帯電話50又は他の移動体装置により使用される一般的なアプリケーションプログラムを送信する。メディアプログラムコンテンツを有する第１のデータストリーム21と共に、一般的なアプリケーションプログラムは、ブロードキャストチャネル20で第２のデータストリーム22内で送信される。メディア受信機30は、第２のデータストリーム22を抽出する。メディア受信機は、そのローカル無線ネットワーク40に接続された装置のクラスを定め、一般的なアプリケーションプログラムを、そのローカル無線ネットワークで識別された装置による使用のためにカスタマイズされた特有のアプリケーションプログラムに変換する。それは、変換されたアプリケーションプログラムを第３のデータストリームとしてそれに転送する。
【００４３】
他の例示的な動作モードでは、メディア受信機30は、第２のデータストリームで１つ以上のクラスの装置50、51により使用される予定の複数のアプリケーションプログラム、データ又は他のコマンドを受信し、これらをメモリ36に格納する。メモリ36は、ブロードキャストデータ・カルーセルの周りに来ると、このような第２のデータストリームで定期的に更新されてもよい。無線ネットワーク40に一時的に接続されている移動体装置は、メディア受信機30により装置のクラスで特定され、メディア受信機30は、移動体装置の検出されたクラスについてのカスタマイズ形式へのプログラム及びデータの変換を起動し、無線ネットワーク40で第３のデータストリームとして移動体装置にこれらのプログラム及びデータのダウンロードを起動する。
【００４４】
ある使用モードでは、第２のデータストリームは、HTMLのような特定のコンテンツ形式で提示されるデータを有する。メディア受信機は、このコンテンツ形式を、WMLのような受信移動体装置に適したものに変換する。
【００４５】
好ましい構成では、アプリケーションプログラムは、MHPプラットフォームで実行可能なJava（登録商標）アプリケーションを有してもよく、これらは携帯電話による使用に適したMIDP実装にメディア受信機により変換されてもよい。
【００４６】
更なる例示的な動作モードについて説明する。
【００４７】
ブロードキャストネットワークは、デジタルTV伝送用のDVB標準（例えばDVB-S、DVB-T、DVB-C）のうち１つを有してもよい。第２のデータストリームは、専用PID（process  identifier）で一式のプライベートセクションとして配信されてもよい。
【００４８】
メディア受信機は、Bluetoothモジュールを備えたMHP可能STBでもよい。Bluetoothネットワークにアクセスするための更なるAPIのセットはその装置に含まれる（JSR-82  API）。
【００４９】
Bluetooth可能携帯電話は、ローカル無線ネットワークに存在してもよい。その装置は、一式の拡張Hays  ATコマンドを処理する。これらのコマンドは、電話ネットワークのダイヤル番号と携帯電話での表示のコンテンツとを含み、携帯電話のほとんどの特徴を制御する。
【００５０】
ブロードキャスト局は、携帯電話アプリケーションデータを含むプライベートセクションをブロードキャストに特定のビットレートで入れてもよい。ブロードキャストのSI信号は、プライベートセクションがどのPIDで配信されているかを記述して、ブロードキャストされるTVチャネルのPMTテーブルに新しいエントリーを追加することにより補われる。新しいMHP  AITテーブルは、対象の移動体装置の特定の形式のアプリケーション形式と、使用されるデータプロトコルと共にブロードキャストされる。
【００５１】
メディア受信機は、新しいAITの受信時に起動される常駐アプリケーションを有してもよい。アプリケーションは、携帯電話を見つけるために、Bluetoothの装置位置及びサービス発見機能を使用する。移動体装置へのデータチャネルがオープンになる。
【００５２】
次に、アプリケーションはプライベートセクションを監視し始める。各セクションの受信時に、それは必要に応じてデータを処理し、Bluetoothデータチャネルで結果を転送する。処理は、移動体装置がサポートしていない機能をフィルタ除去するように、又はセキュリティの理由で特定のコマンドを抑圧する（例えば発信をブロックする）ように生じてもよい。Bluetoothのネットワーク構成が後に変更すると、アプリケーションは、古い接続を停止し、新しい接続をオープンすることにより応答する。
【００５３】
他の例示的な動作モードでは、移動体通信装置50、51にアプリケーション及びデータをダウンロードした後に、アプリケーションは、メディア受信機と移動体通信装置との双方で生じるデータ処理で、メディア受信機と相互作用し、ブロードキャストネットワークからの更なる情報にアクセスしてもよい。
【００５４】
ある例示的なプリケーションは以下のものを有する。
１）単一の視聴者がTVディスプレイに目立たないようにTVリストをブラウズすることを可能にするように、移動体装置に電子番組ガイドを配信すること。移動体装置のディスプレイでのアイテムの選択は、TVのチャネル選択を生じてもよい。
２）ブロードキャストチャネルから携帯電話にダウンロードするために、携帯電話アプリケーションを選択すること。このメニューのユーザインタフェースは、移動体装置又はTVディスプレイに現れてもよい。
３）現在動作中のSTBのJava（登録商標）アプリケーションを移動体装置にダウンロードすること。
４）移動体装置に表示するために、ブロードキャストチャネルからメディアを再ターゲットすること。これは、メディア受信機でMPEG-2ブロードキャストを低ビットレートのMPEG-4に変換することを有してもよい。
５）STB装置に適した表示面として、移動体装置のディスプレイ52を使用すること。STBに存在するMHPアプリケーションは、移動体装置のディスプレイに直接描画してもよい。
【００５５】
本発明は、ドメスティックと非ドメスティックとの双方の環境における用途を有する。
【００５６】
他の実施例も意図的に特許請求の範囲内である。
【図面の簡単な説明】
【００５７】
【図１】ブロードキャスト送信機及び移動体通信装置に対するブロードキャストメディア受信機及び関連のネットワーク通信チャネルの図
【図１】
2006526909.tif 000003
【国際調査報告】
2006526909.tif 000004
2006526909.tif 000005
2006526909.tif 000006